(57)【特許請求の範囲】
【請求項１】
連棟用支柱上端嵌合用の嵌合ブロックと，該嵌合ブロックに室内側に向けたブリッジを介して室内側の左右に突出配置した桁連結ブロックと，上記嵌合ブロックから桁連結ブロックと略同等の高さにして支柱室外側正面と略面一に上向き起立した起立片とを具備した連棟キャップを用い，上記支柱の上端に嵌合した連棟キャップの桁連結ブロックによって，それぞれ端部の平面Ｌ字状切欠部に上記ブリッジを受入れ配置して一対の桁の連棟側端部を突合せ状に連結して上記連棟用支柱に該一対の桁を支持するとともに上記起立片によって該一対の桁の連棟側端部をその室外側正面において被覆してなることをサンルームの連棟上部構造。
【請求項２】
上記連棟キャップを，合成樹脂で一体成形した成形部品としてなることを特徴とする請求項１に記載のサンルームの連棟上部構造。
【請求項３】
上記連棟キャップで連結した一対の桁における連棟側端部の室内側に垂木固定金具を介して垂木端部を突合せ固定して垂木掛との間に垂木を配置し，該垂木によって該一対の桁の連棟側端部をその室内側において被覆してなることを特徴とする請求項１又は２に記載のサンルームの連棟上部構造。
【発明の詳細な説明】
【技術分野】
【０００１】
本発明はサンルームに関し，特にサンルームを幅方向に連棟するに用いるサンルームの連棟上部構造に関する。
【背景技術】
【０００２】
この種サンルームの連棟は，一対の桁の連棟側端部に連結プレートを挿入又は対接して桁側面でネジ止めすることによって該一対の桁を突合せ状に連結するとともに幅方向両側に張出片を備えた桁固定金具を支柱に固定してその張出片に一対の桁の連棟側端部を下面からネジ止めして行うものとされており，このとき一般に支柱は，他の支柱と共用することなく連棟に専用の支柱を用いる一方，桁には，雨樋を上面にそれぞれ一体に形成する一方，例えば折畳戸等の建具を開閉するガイドレールを該支柱の室内側下面に別途固定するものとされ，また桁の突合せ状の連結部分には防水のためのコーキングを施すものとされている。
【０００３】
【非特許文献１】東洋エクステリア株式会社  ２００３年７月発行「取付説明集  １０  エクシオール本体  カタログコード  ＥＴ３０」３０１頁〜３０７頁「エクシオールフィリア取付説明書−連棟−」
【発明の開示】
【発明が解決しようとする課題】
【０００４】
しかしこの場合，一対の桁の連棟部分や連棟に用いたネジが室外側及び室内側に露出することになり，室外側では支柱の幅方向中央位置に一対の桁の連棟側端部の突合せ連結部分が，上下に横断する垂直線となって露出する一方，室内側では同じく支柱の幅方向中央位置に該桁乃至桁に設置したガイドレールの連棟側端部の突合せ連結部分が同様に垂直線となって露出し，それぞれ室外側及び室内側の外観を損うという問題点が残されており，特に室外側に露出する突合せ連結部分にはコーキングが施されているから，室外側からサンルームを見ると該サンルームが一見して連棟したものであることとその連棟位置が自ずと目につき易く外観上その改善が望まれる。
【０００５】
本発明はかかる事情に鑑みてなされたもので，その解決課題とするところは，連棟をしながら，該連棟部分が露出するのを防止して良好な外観を確保し得るサンルームの連棟上部構造を提供するにある。
【課題を解決するための手段】
【０００６】
上記課題に沿って本発明は，特殊形状の連棟キャップを用いて，支柱の室内側に幅方向一対の桁を連結して支持することによって連棟を行うようにするとともに連棟キャップに設置した起立片で該一対の桁における連棟側端部の室外側正面を被覆して，連棟部分が室外側に露出するのを防止し得るようにしたものであって，即ち請求項１に記載の発明を，連棟用支柱上端嵌合用の嵌合ブロックと，該嵌合ブロックに室内側に向けたブリッジを介して室内側の左右に突出配置した桁連結ブロックと，上記嵌合ブロックから桁連結ブロックと略同等の高さにして支柱室外側正面と略面一に上向き起立した起立片とを具備した連棟キャップを用い，上記支柱の上端に嵌合した連棟キャップの桁連結ブロックによって，それぞれ端部の平面Ｌ字状切欠部に上記ブリッジを受入れ配置して一対の桁の連棟側端部を突合せ状に連結して上記連棟用支柱に該一対の桁を支持するとともに上記起立片によって該一対の桁の連棟側端部をその室外側正面において被覆してなることをサンルームの連棟上部構造としたものである。
【０００７】
請求項２に記載の発明は，上記に加えて，連棟キャップを好ましい形態とするように，これを，上記連棟キャップを，合成樹脂で一体成形した成形部品としてなることを特徴とする請求項１に記載のサンルームの連棟上部構造としたものである。
【０００８】
請求項３に記載の発明は，同じく上記に加えて，室外側とともに一対の桁における連棟側端部の室内側に連棟部分が露出するのを防止し得るものとするように，これを，上記連棟キャップで連結した一対の桁における連棟側端部の室内側に垂木固定金具を介して垂木端部を突合せ固定して垂木掛との間に垂木を配置し，該垂木によって該一対の桁の連棟側端部をその室内側において被覆してなることを特徴とする請求項１又は２に記載のサンルームの連棟上部構造としたものである。
【０００９】
本発明はこれらをそれぞれ発明の要旨として上記課題解決の手段としたものである。
【発明の効果】
【００１０】
本発明は以上のとおりに構成したから，請求項１に記載の発明は，特殊形状の連棟キャップを用いて，支柱の室内側に幅方向一対の桁を連結して支持することによって連棟を行うようにするとともに連棟キャップに設置した起立片で該一対の桁における連棟側端部の室外側正面を被覆して，連棟部分が室外側に露出するのを防止し得るようにしたサンルームの連棟上部構造を提供することができる。
【００１１】
請求項２に記載の発明は，上記に加えて，連棟キャップを好ましい形態とすることができる。
【００１２】
請求項３に記載の発明は，同じく上記に加えて，室外側とともに一対の桁における連棟側端部の室内側に連棟部分が露出するのを防止し得るものとすることができる。
【発明を実施するための最良の形態】
【００１３】
以下図面の例に従って本発明を更に具体的に説明すれば，Ａは左右に連棟することによって幅方向に拡大して広幅の正面を有するように設置したサンルームであり，該サンルームＡは，その連棟に連棟キャップ２０を用いて連棟用支柱６に一対の桁１３を連結して支持するとともに該連棟キャップ２０によって該一対の桁１３の連棟側端部を正面側において被覆し，また室内側において垂木１２を配置することによって同じく該一対の桁１３の連棟側端部を室内側において被覆した上部構造を備えたものとしてある。
【００１４】
即ち連棟に係るサンルームＡは，端部支柱５と，該端部支柱５間に起立した連棟部位の連棟用支柱６と，垂木掛１１，垂木１２，桁１３，中骨１７及び屋根パネルによって形成した片流れ屋根１と，側面において垂木１２下位に配置した換気窓２，例えば内倒し窓及び該換気窓２下位の端部支柱５間上方に固定した上レール及び端部支柱５間下端に固定した下レールの案内によって開閉自在とした建具，例えば蛇腹状の折畳戸３と，正面において上記桁１３と平行に端部支柱５，連棟支柱６間下端に固定したベースに起立固定した多数の中間柱１８，端部支柱５乃至連棟用支柱６と中間柱１８間及び各中間柱１８間にそれぞれ嵌着固定したガラスパネル又は透明樹脂パネル，本例にあっては透明樹脂パネルによって形成した嵌め殺し部４とを備えて，例えばアルミ押出形材によって上記端部支柱５，連棟用支柱６，垂木１２，桁１３等の各構造材を形成したアルミ製のものとしてある。
【００１５】
連棟用支柱６は，断面Ｕ字状にして内外方向中間に補強条８を介設した支柱基部７と，該支柱基部７の先端に，例えばスナップイン係止乃至スライドして装着することによって室外側に平面矩形又は方形の嵌合部１０を区画形成するとともに室外側を化粧するプレート状の化粧板９とを備えたものとしてあり，また本例にあって該連棟用支柱６は，上記端部支柱５を共用して該端部支柱５と同一断面形状のものとしてある。
【００１６】
また桁１３は室内側に断面略三角形状中空に形成した桁基部１４と，該桁基部１４から室外側にＵ字状に突設した雨樋部１５とを備えた一体のものとしてあり，該桁１３は，その連棟側の端部においてそれぞれ平面Ｌ字状切欠部１６を形成してあり，本例にあっては桁基部１４の正面側において該桁基部１４から突出した雨樋部１５を部分的，本例にあっては後述の連棟キャップ２０における嵌合ブロック２２幅の略１／２，即ち連棟用支柱６の略１／２の幅で切除することによって上記平面Ｌ字状をなすように該欠部１６を形成してある。
【００１７】
連棟キャップ２０は，連棟用支柱６上端嵌合用の嵌合ブロック２２と，該嵌合ブロック２２に室内側に向けたブリッジ２５を介して室内側の左右に突出配置した桁連結ブロック２６と，上記嵌合ブロック２２から桁連結ブロック２６と略同等の高さにして連棟用支柱６の室外側正面と略面一に上向き起立した起立片２９とを具備した複雑な特殊形状のものとしてあり，上記サンルームＡの連棟は，該連棟キャップ２０を用い，上記連棟用支柱６の上端に嵌合した連棟キャップ２０の桁連結ブロック２６によって，それぞれ端部の平面Ｌ字状切欠部１６に上記ブリッジ２５を受入れ配置して一対の桁１３の連棟側端部を突合せ状に連結して上記連棟用支柱６に該一対の桁１３を支持するとともに上記起立片２９によって該一対の桁１３の連棟側端部をその室外側正面において被覆してある。
【００１８】
本例にあって該連棟キャップ２０は，これを，例えば合成樹脂で一体成形した成形部品とし，上記複雑な特殊形状に対応して可及的簡易にその量産をなし得るようにしてある。
【００１９】
本例の該連棟キャップ２０における上記嵌合ブロック２２は，端部支柱６の上記嵌合部１０上端に載置自在の平面矩形乃至方形のキャップ部２３と，上記端部支柱６の嵌合部１０に嵌合自在の，該キャップ部２３より幾分小さめの同じく平面矩形乃至方形の嵌合脚部２４とを備えたものとしてあり，該嵌合ブロック２２から室内側に向けて配置したブリッジ２５は，上記キャップ部２３の幅方向中央位置から短寸の帯状に室内側に突出したものとしてあり，桁連結ブロック２６は，該ブリッジ２３の幅方向両側にそれぞれ上記桁基部１４の中空部に嵌合自在にして該嵌合を容易化するようにスリットによって室内側を上下に分離した断面三角形状にして上記嵌合ブロック２２より幅方向に幾分長く，幅方向中央位置に，桁１３における桁基部１４の突き当て用リブ２７を起立するとともに断面三角形状の室外側傾斜面に沿ってその幅方向両側にフィンを突設して桁基部１４における連棟側端部の切断縁部を受入れる正面側の受入れ溝２８を形成したものとしてあり，また起立片２９は，上記嵌合ブロック２２の室外側に上向きにして桁連結ブロック２６の高さと同程度，本例にあっては幾分低くするように起立したプレート状のものとしてあり，該起立片２９の厚さは，これを上記端部支柱６の化粧板９と同程度とすることによって端部支柱６，即ちその化粧板９と略面一に配置し得るようにしてある。
【００２０】
このとき本例にあって上記端部支柱５には，連棟キャップ２０と同様な端部キャップ２１を用いて該端部支柱５の上端を処理してあり，該端部キャップ２１は，上記連棟キャップ２０の中央位置のブリッジ２５に代えて幅方向端部のブリッジと，嵌合ブロック，桁連結ブロック及び起立片に左右勝手に応じた片側の化粧側板を一体に備えたものとしてあり，上記端部支柱５を上記連棟用支柱６に共用するために該ブリッジ及び化粧側板を除いて該端部キャップ２１と連棟キャップ２０とを可及的に共通化したものとしてある。
【００２１】
該連棟キャップ２０を用いた連棟は，例えば桁連結ブロック２６の突き当て用リブ２７に一対の桁１３の先端を対接するとともに正面側で桁連結ブロック２６の受入れ溝２８に挿入し，これら一対の桁１３を該桁連結ブロック２６の両側に突合せ状に連結する一方，連棟用支柱６の上端にキャップ部２３を載置して該上端を覆うように該連棟用支柱６の嵌合部１０，即ち支柱基部７と化粧板９とによって区画されて支柱基部７の室外側に位置する嵌合部に嵌合脚部２４を嵌合して，該連棟用支柱６に嵌合ブロック２２を設置することによってこれを行うものとしてあり，このとき嵌合ブロック２２，ブリッジ２５，桁連結ブロック２６の端部にシーリング材３１による雨仕舞を施すものとしてある。
【００２２】
これによって連棟部位の室外側正面上端には，連棟用支柱６，本例にあっては上記化粧板９と略面一に起立した起立片２９が，桁連結ブロック２６で連結した一対の桁１３における連棟側端部の室外側正面を被覆することによって，サンルームＡの連棟部分が室外側に露出するのを防止することができ，また連棟用支柱６と桁１３の位置関係は，該連棟用支柱６が桁１３の上記雨樋部１５の下位に位置するから，例えば該桁１３にガイドレールを付して正面に建具を配置するにも，該連棟用支柱６が建具開口を仕切ることを防止できるとともに連棟キャップ２０による連棟用支柱６と桁１３のＴ字状の連結によって該桁１３の支持を安定して強固に行うことができる。このとき上記一対の桁１３の長手方向端部は，例えば連結金具を用いて固定支持した端部支柱５に，上記連棟キャップ２０と同様な端部キャップ２１を用いてその上端の処理をしてあるから，端部支柱５及び連棟用支柱６の上端には共通の化粧板９とその上位の起立片２９が位置して，該起立片２９の被覆と相俟って，連棟部分の特異性を解消して連棟を感じさせない形態とすることができる。
【００２３】
一方，本例にあっては更に，上記連棟キャップ２０で連結した一対の桁１３における連棟側端部の室内側に垂木固定金具３２を介して垂木１２端部を突合せ固定して垂木掛１１との間に垂木１２を配置し，該垂木１２によって該一対の桁１３の連棟側端部をその室内側において被覆したものとしてあり，これによって室内外ともに一対の桁１３の連棟側端部を覆ってサンルームＡの連棟部分が露出するのを防止してある。
【００２４】
即ち一対の桁１３の連棟側端部には，他の垂木１２位置におけると同様にコ字状の垂木固定金具３２をネジ止めし，該垂木固定金具３２を被嵌し側面からネジ止めして，垂木掛１１との間に垂木１２を架設するように配置してあり，このとき該連棟側端部にあっては垂木固定金具３２の位置を一対の桁１３に掛ってこれらの間に亘るように配置してそのネジ止めを行うことによって，該垂木固定金具３２を被嵌する垂木１２が該連棟側端部を被覆する結果，該室内側においても連棟部分の特異性を解消することができる。
【００２５】
図中３０は，連棟キャップ２０のブリッジ２５から起立片２９端部に至るように設置した上記桁１３の平面Ｌ字状切欠部１６の切欠縁部を受入れる縁部受入溝である。
【００２６】
図示した例は以上のとおりとしたが，サンルームの正面に建具を配置し，側面に嵌め殺し部を設置すること，連棟キャップを複数の部材を一体的に固定して形成すること，連棟用支柱を該連棟用専用のものとすること等を含めて，本発明の実施に当って，サンルーム，連棟用支柱，桁，連棟キャップ，嵌合ブロック，ブリッジ，桁連結ブロック，起立片等の各具体的形状，構造，材質，これらの関係，これらに対する付加等は，上記発明の要旨に反しない限り様々な形態のものとすることができる。
【図面の簡単な説明】
【００２７】
【図１】サンルームの斜視図である。
【図２】連棟部分における上部の分解斜視図である。
【図３】連棟部分における桁と垂木の関係を示す斜視図である。
【図４】連棟キャップの斜視図である。
【図５】連棟キャップの側面図である。
【図６】連棟キャップの底面図である。
【符号の説明】
【００２８】
Ａ  サンルーム
１  片流れ屋根
２  換気窓
３  折畳戸
４  嵌め殺し部
５  端部支柱
６  連棟用支柱
７  支柱基部
８  補強条
９  化粧板
１０  嵌合部
１１  垂木掛
１２  垂木
１３  桁
１４  桁基部
１５  雨樋部
１６  切欠部
１７  中骨
１８  中間柱
２０  連棟キャップ
２１  端部キャップ
２２  嵌合ブロック
２３  キャップ部
２４  嵌合脚部
２５  ブリッジ
２６  桁連結ブロック
２７  突き当て用リブ
２８  受入れ溝
２９  起立片
３０  縁部受入溝
３１  シーリング材
３２  垂木固定金具
【図１】
0004808517.tif 000002
【図２】
0004808517.tif 000003
【図３】
0004808517.tif 000004
【図４】
0004808517.tif 000005
【図５】
0004808517.tif 000006
【図６】
0004808517.tif 000007